(57)【要約】【課題】  根の育成に最適な円錐台形状であって、且つ、安価に製造できる植木鉢を提供する。【解決手段】  略円錐台形状の、下方に放射状に広がる側面と、上面及び底面に形成された開口部と、前記側面下方縁部の円周上に複数形成された底蓋装着用ネジ穴部と、を備えた容器部と、前記容器部の前記側面下方縁部と略同径となるように屹立させて形成した外周部と、前記容器部の前記底蓋装着用ネジ穴部と対応するように該外周部に形成された容器部装着用ネジ穴部と、を備えた底蓋部と、前記容器部の前記底蓋装着用ネジ穴部と、前記底蓋部の前記容器部装着用ネジ穴部とを合致させた状態で、ボルトおよびナットで固定して、前記容器部と前記底蓋部を一体化して鉢形状を形成するための固定冶具部と、で構成される。【選択図】図１
2014226130.tif 000002
【特許請求の範囲】
【請求項１】
略円錐台形状の、下方に放射状に広がる側面と、上面及び底面に形成された開口部と、前記側面下方縁部の円周上に複数形成された底蓋装着用ネジ穴部と、を備えた容器部と、
前記容器部の前記側面下方縁部と略同径となるように屹立させて形成した外周部と、前記容器部の前記底蓋装着用ネジ穴部と対応するように該外周部に形成された容器部装着用ネジ穴部と、を備えた底蓋部と、
前記容器部の前記底蓋装着用ネジ穴部と、前記底蓋部の前記容器部装着用ネジ穴部とを合致させた状態で、ボルトおよびナットで固定して、前記容器部と前記底蓋部を一体化して鉢形状を形成するための固定冶具部と、で構成されることを特徴とする植物育成用の植木鉢。
【請求項２】
前記底蓋部は、略中央部に排水のための開口部を有することを特徴とする請求項１に記載の植木用鉢。
【請求項３】
前記底蓋部は、前記外周部に、前記容器部との密着性を向上させるためのシール部分を有することを特徴とする請求項１に記載の植木用鉢。
【請求項４】
前記底蓋部の前記開口部から排出した水を保持するための受皿部を有することを特徴とする請求項１から３に記載の植木用鉢。
【発明の詳細な説明】
【技術分野】
【０００１】  本発明は、植物育成用の植木鉢に関する。
【背景技術】
【０００２】  植木鉢は、陶器製、合成樹脂製等にかかわらず、従来、逆円錐台型が一般的であった。外観上好ましい点があるものの、不安定で転倒等の虞があるため、これまで鉢本体の外周に円錐台型の容器等を付加するなどして転倒を防止する植木鉢などが提案されてきた（例えば、特許文献１を参照）。【０００３】  しかし、上記に開示された従来の植木鉢の構造では、不安定性は解決できるが、鉢本体は従来の逆円錐台の形状であり、この逆円錐台状の形状に纏わる課題が解決されるものではなかった。この形状に纏わる課題とは、次のようなものである。【０００４】  即ち、根が土壌内に大きく広がって育成する類の植物では、下方へ行くにしたがって先細りとなる形状の鉢では根の広がりが抑制され、健全な育成が妨げられるという課題である。【０００５】  ところが、円錐台形状の植木鉢は、底面の方が上部開口部より大きくなるため、一体成型が困難であるという課題もあり、これまで安価で大量に提供できる円錐台形状の植木鉢は提案されていなかった。【０００６】
【先行技術文献】
【特許文献】
【０００７】
【特許文献１】特開平９−２７１２６６号公報（第２頁〜第３頁、図１）
【発明の概要】
【発明が解決しようとする課題】
【０００８】  そこで本発明は上記従来の課題に鑑みてなされたものであり、根の育成に最適な円錐台形状であって、且つ、安価に製造できる植木鉢を提供することを目的とする。
【課題を解決するための手段】
【０００９】  上記課題を解決するため、本発明の植木鉢は、略円錐台形状の、下方に放射状に広がる側面と、上面及び底面に形成された開口部と、前記側面下方縁部の円周上に複数形成された底蓋装着用ネジ穴部と、を備えた容器部と、
前記容器部の前記側面下方縁部と略同径となるように屹立させて形成した外周部と、前記容器部の前記底蓋装着用ネジ穴部と対応するように該外周部に形成された容器部装着用ネジ穴部と、を備えた底蓋部と、
前記容器部の前記底蓋装着用ネジ穴部と、前記底蓋部の前記容器部装着用ネジ穴部とを合致させた状態で、ボルトおよびナットで固定して、前記容器部と前記底蓋部を一体化して鉢形状を形成するための固定冶具部と、で構成されることを特徴とする。
上記構成によれば、鉢の形状が円錐台状となるため、植物の根が下方へいくほど大きく広がることができ、最適な形状で育成することができる。【００１０】  また、上記課題を解決するため、本発明の植木鉢は、請求項１に記載の植木鉢であって、前記底蓋部は、略中央部に排水のための開口部を有することを特徴とする。
上記構成によれば、土壌に浸透した余分な水分を鉢外へ排出し、土壌の水分を適性に保つことができる。【００１１】  また、上記課題を解決するため、本発明の植木鉢は、請求項１に記載の植木鉢であって、前記底蓋部は、前記外周部に、前記容器部との密着性を向上させるためのシール部分を有することを特徴とする。
上記構成によれば、土壌に浸透した水分が鉢の底蓋外周部から過剰に浸出して土壌の水分が不足するような事態を防止することができる。【００１２】  また、上記課題を解決するため、本発明の植木鉢は、請求項１から３に記載の植木鉢であって、前記底蓋部の前記開口部から排出した水を保持するための受皿部を有することを特徴とする。
上記構成によれば、受皿部で水分を保持することにより、土壌の水分が過剰に排出して短期間に乾燥したりすることを防止することができる。
【発明の効果】
【００１３】  本発明の植木鉢によれば、鉢の形状が円錐台状となるため、植物の根が下方へいくほど大きく広がることができ、最適な形状で育成することができる。
【図面の簡単な説明】
【００１４】
【図１】  本発明の実施の形態における植木鉢の各部の外観を示す斜視図である。
【図２】  本発明の実施の形態における植木鉢の縦断面図である。
【発明を実施するための形態】
【００１５】  以下、本発明の実施の形態における植木鉢について図面を用いて詳細に説明する。
【００１６】  はじめに、図１は、本発明の実施の形態における植木鉢の各部の外観を示す斜視図である。植木鉢１００は、主に、容器部１０、底蓋部２０、固定冶具部３０、受皿部４０、出構成される。
【００１７】  容器部１０は、側面１１と、上面開口部１２と、底面開口部１３と、底蓋装着用ネジ穴部１４と、で構成される。側面１１は、容器部１０を形成する略円錐台の形状を有する。上面開口部１２は、植物の茎が上方へ伸びる開口部である。また、底面開口部１３には、底蓋部２０が固定されて植木鉢を形成する。
【００１８】  底蓋部２０は、容器部１０の底面開口部３０と略同径となるように屹立させて形成した外周部２１と、略中央に形成された排水用開口部２２と、容器部装着用ネジ穴部２３と、Ｏリング２４と、で構成される。外周部２１は、容器部１０の底面開口部１３に内挿される。排水用開口部２２は、容器部１０内に充填された土壌から下方へ浸透してきた過剰な水分を容器外へ排出する。容器部装着用ネジ穴部２３は、底蓋装着用ネジ穴部１４と対応するように形成されており、固定冶具部３０のボルト３１及びナット３２により固定される。Ｏリング２４は、底蓋部２０の外周部２１と、容器部１０との密着性を向上させるためのシール部分としての役割を担う。
【００１９】  固定冶具部３０は、ボルト３１と、ナット３２と、で構成され、容器部装着用ネジ穴部２３と底蓋装着用ネジ穴部１４とが対応するように固定して、植木鉢１００を形成する。
【００２０】  受皿部４０は、底蓋部３０の排水用開口部２２から排出された水分を保持する。
【００２１】  次に、図２は、本発明の実施の形態における植木鉢の縦断面図である。
【００２２】  ボルト３１及びナット３２により固定された容器部１０と底蓋部２０により植木鉢１００の容器部分が形成される。容器部１０と底蓋部２０で形成された容器部分は、受皿部４０上に載置される。底蓋部２０の底面は、受皿部４０の底面部分と接触しないように上げ底となっており、排水用開口部２２からの水分の排出が滞留しない。
【００２３】  土壌は、容器部１０の上面開口部１２から挿入、充填され、植物が適切に固定される。容器部１０は、下方部分が大きくなっているため、植物の根は下方へ広がって生育することができる。したがって、従来の逆円錐台型の植木鉢と比較して、植物の根が大きく下方へ広がることができ、養分や水分の摂取に関し、植物の育成がより適切に行われる。
【００２４】  上記のように、本発明の植木鉢によれば、鉢の形状が円錐台状となるため、植物の根は下方へいくほど大きく広がり、しっかり根を張ることができるので、植物を丈夫且つ適切に育成することができる。
【産業上の利用可能性】
【００２５】  本発明に係る植木鉢は、植物を丈夫且つ適切に育成することに適した略円錐台形状の植木鉢を容易且つ安価に製造することができるという効果を有し、植物用の植木鉢として有用である。
【符号の説明】
【００２６】１０  容器部
１１  側面
１２  上面開口部
１３  底面開口部
１４  底蓋装着用ネジ穴部
２０  底蓋部
２１  外周部
２２  排水用開口部
２３  容器部装着用ネジ穴部
２４  Ｏリング
３０  固定冶具部
３１  ボルト
３２  ナット
４０  受皿部
【図１】
2014226130.tif 000003
【図２】
2014226130.tif 000004